(57)【要約】【課題】放電ランプの光出力の検出精度を向上できる照明装置を提供することにある。【解決手段】放電ランプ１が装着されるソケット２と、放電ランプ１を覆う反射板３と、ソケット２が取り付けられ反射板３を保持する本体４と、反射板３の放電ランプ１の発光面と略対向する位置に設けられて放電ランプ１の直射光を反射板３の外部に漏らす孔６と、この孔６を介して放電ランプ１と対向して孔６から反射板３の外部に漏れた光を検出し出力信号を出すセンサブロック５と、このセンサブロック５の出力信号に応じて放電ランプ１を制御する制御手段と、孔６とセンサブロック５との間に設けられて反射板３の外部に漏れた光をセンサブロック５に導く筒７と、筒７を介して放電ランプ１記センサブロック５とを対向させた状態で両者の相互の位置関係を放電ランプ１の軸周りに移動させて位置決めできる回動機構と、を備えてなる照明装置。【選択図】        図１
2004213933.tif 000002
【特許請求の範囲】
【請求項１】
放電ランプと、この放電ランプが装着されるソケットと、前記放電ランプを覆う反射板と、前記ソケットが取り付けられ反射板を保持する本体と、前記反射板の前記放電ランプの発光面と略対向する位置に設けられて前記放電ランプの直射光を反射板の外部に漏らす孔と、この孔を介して前記放電ランプと対向して前記孔から前記反射板の外部に漏れた光を検出し出力信号を出すセンサブロックと、このセンサブロックの出力信号に応じて前記放電ランプを制御する制御手段と、前記孔と前記センサブロックとの間に設けられて前記反射板の外部に漏れた光を前記センサブロックに導く筒と、この筒を介して前記放電ランプと前記センサブロックとを対向させた状態で両者の相互の位置関係を前記放電ランプの軸周りに移動させて位置決めできる回動機構と、を備えてなる照明装置。
【請求項２】
前記回動機構は、前記ソケットの外郭に取り付けられたソケット取り付け部材であり、このソケット取り付け部材が前記放電ランプの軸を略中心に回動するとともに、所定の回動位置で前記本体に取り付けられるものであることを特徴とする請求項１記載の照明装置。
【請求項３】
前記回動機構は、前記反射板が前記放電ランプの軸を略中心に回動するとともに、所定の回動位置で前記本体に取り付けられるものであることを特徴とする請求項１記載の照明装置。
【請求項４】
前記孔は、前記反射板の周方向を長手として設けられた導光用長孔であり、前記筒は、前記導光用長孔の長手に略沿って移動し所定の位置で固定できるものであることを特徴とする請求項１記載の照明装置。
【請求項５】
開口面積の違う開口孔を複数有した遮断体を前記孔と前記センサブロックとの間に備え、前記遮断体は、複数の開口孔のうち所定のものを選択することにより前記孔から漏れる光が前記センサブロックに到達する割合を調整できるものであることを特徴とする請求項１乃至４記載の照明装置。
【請求項６】
前記センサブロックと放電ランプの発光面との距離を調整できる遠近調整手段を設けたことを特徴とする請求項１乃至４記載の照明装置。
【請求項７】
前記孔を透光性を備えた透光板で塞ぐことにより前記孔から漏れる光が前記センサブロックに到達する割合を調整できるものであることを特徴とする請求項１乃至４記載の照明装置。
【発明の詳細な説明】
【０００１】
【発明の属する技術分野】
本発明は、放電ランプからの光をセンサで検出して制御する照明装置に関する。
【０００２】
【従来の技術】
この種の照明装置としては、特開平５−２１１６６号公報に開示されたものがあり、図１６はこのものの断面図である。このものは、放電ランプ１からの光出力を検出して放電ランプ１を制御する制御手段を有する照明装置において、放電ランプ１を収納する反射板３に孔６を形成し、この孔６に放電ランプ１の光の一部を反射板３の外に伝達する導光体４０を設け、孔６を導光体４０で塞いだものである。
【０００３】
このものは、導光体４０で孔６を完全に塞ぐことにより、この孔６から内部に埃が入らず、また導光体４０の光入射部の汚れも防止できるものであった。
【０００４】
【特許文献１】
特開平５−２１１６６号公報
【０００５】
【発明が解決しようとする課題】
ところが前記した照明装置は、導光体４０の入射部と反射板内部の空気層との間で透過率の違いによる境界面が生じることがあり、この境界面に対して垂直に光が入射しないものほど、単波長の光でないと分光してしまうことがわかった。また、受光素子（センサブロック）には分光感度特性や感度の指向性があるので、放電ランプ１の光が分光したり、乱反射して受光素子に入射すると、正確な放電ランプの光出力の検出が難しいことがわかった。
【０００６】
また、放電ランプ１は、通常、発光部を支持する支持部材１ｃを備えており、この支持部材１ｃの放電ランプ１の軸周りの位置と前記した孔６の位置関係によっては、その放電ランプ１の光出力の検出値が変わってしまうことがあった。
【０００７】
本発明は、上記事由に鑑みてなしたもので、その目的とするところは、放電ランプの光出力の検出精度を向上できる照明装置を提供することにある。
【０００８】
【課題を解決するための手段】
請求項１に係る照明装置は、  放電ランプと、この放電ランプが装着されるソケットと、前記放電ランプを覆う反射板と、前記ソケットが取り付けられ反射板を保持する本体と、前記反射板の前記放電ランプの発光面と略対向する位置に設けられて前記放電ランプの直射光を反射板の外部に漏らす孔と、この孔を介して前記放電ランプと対向して前記孔から前記反射板の外部に漏れた光を検出し出力信号を出すセンサブロックと、このセンサブロックの出力信号に応じて前記放電ランプを制御する制御手段と、前記孔と前記センサブロックとの間に設けられて前記反射板の外部に漏れた光を前記センサブロックに導く筒と、この筒を介して前記放電ランプと前記センサブロックとを対向させた状態で両者の相互の位置関係を前記放電ランプの軸周りに移動させて位置決めできる回動機構と、を備えてなることを特徴とする。
【０００９】
請求項２に係る発明の照明装置は、請求項１において、前記回動機構は、前記ソケットの外郭に取り付けられたソケット取り付け部材であり、このソケット取り付け部材が前記放電ランプの軸を略中心に回動するとともに、所定の回動位置で前記本体に取り付けられるものであることを特徴とする。
【００１０】
請求項３に係る発明の照明装置は、請求項１において、前記回動機構は、前記反射板が前記放電ランプの軸を略中心に回動するとともに、所定の回動位置で前記本体に取り付けられるものであることを特徴とする。
【００１１】
請求項４に係る発明の照明装置は、請求項１において、前記孔は、前記反射板の周方向を長手として設けられた導光用長孔であり、前記筒は、前記導光用長孔の長手に略沿って移動し所定の位置で固定できるものであることを特徴とする。
【００１２】
請求項５に係る発明の照明装置は、請求項１乃至４のいずれかにおいて、開口面積の違う開口孔を複数有した遮断体を前記孔と前記センサブロックとの間に備え、前記遮断体は、複数の開口孔のうち所定のものを選択することにより前記孔から漏れる光が前記センサブロックに到達する割合を調整できるものであることを特徴とする。
【００１３】
請求項６に係る発明の照明装置は、請求項１乃至４のいずれかにおいて、前記センサブロックと放電ランプの発光面との距離を調整できる遠近調整手段を設けたことを特徴とする。
【００１４】
請求項７に係る発明の照明装置は、請求項１乃至４のいずれかにおいて、前記孔を透光性を備えた透光板で塞ぐことにより前記孔から漏れる光が前記センサブロックに到達する割合を調整できるものであることを特徴とする。
【００１５】
【発明の実施の形態】
（第１の実施の形態）
本発明の第１の実施の形態を図１〜図３を用いて説明する。図１は照明装置の断面図、図２は回動機構を示す図で、図２（ａ）は上面図、図２（ｂ）は側面図である。さらに図３は放電ランプの図で、図３（ａ）は側面図、図３（ｂ）は放電ランプの軸と直行する面で切断したときの断面図である。
【００１６】
このものは、放電ランプ１と、この放電ランプ１が装着されるソケット２と、放電ランプを覆う反射板３と、ソケット２が取り付けられ反射板３を保持する本体４と、反射板３の放電ランプ１の発光面と略対向する位置に設けられて放電ランプ１の直射光を反射板３の外部に漏らす孔６と、この孔６を介して放電ランプ１と対向して孔６から反射板３の外部に漏れた光を検出し出力信号を出すセンサブロック５と、このセンサブロック５の出力信号に応じて放電ランプ１を制御する制御手段（図示せず）と、孔６とセンサブロック５との間に設けられて反射板３の外部に漏れた光をセンサブロック５に導く筒７と、この筒７を介して放電ランプ１とセンサブロック５とを対向させた状態で両者の相互の位置関係を放電ランプ１の軸周りに移動させて位置決めできる回動機構と、を備えて構成されている。
【００１７】
放電ランプ１は、発光部１ａと、これを支持する支持部材１ｃと、これらを内部に収納するとともにその表面に発光面を有するガラス管１ｂと、外ネジを有する口金１ｄと、を備えている。これを詳しく述べると、発光部１ａは放電ランプの軸と大略同一の軸上に設けられている。また、発光部１ａに略平行に設けられた支持部材１ｃが発光部１ａの両端を支持している。なお、外ネジを有する口金１ｄの軸は、発光部１ａや支持部材１ｃと略平行に設けられている。
ソケット２は、放電ランプ１の口金１ｄに対応する内ネジを備えており、回動機構に取り付けられている。
【００１８】
反射板３は、放電ランプ１を覆うような形状に金属材料を加工して形成されたものであり、その内側には放電ランプ１からの光を下方に反射させる反射面が形成されている。本体４は、平板を折り曲げ加工することにより、略方形をなした有底筒状に形成したもので、反射板３を保持できるものとなている。
【００１９】
孔６は、放電ランプ１の直射光を反射板３の外部に漏らす孔で、反射板３の放電ランプ１の発光面と略対向する位置に設けられている。センサブロック５は、孔６を介して放電ランプ１と対向して孔６から反射板３の外部に漏れた光を検出し出力信号を出すものである。
【００２０】
筒７は、孔６とセンサブロック５との間に設けられて反射板３の外部に漏れた光をセンサブロック５に導くものである。筒７は、一方の開口が反射板３に取り付けられ、他方の開口には、センサブロック５が取り付けられている。また、筒の内径は、孔６に比べて十分に大きなものとなっている。
【００２１】
回動機構は、ソケット２の外郭に取り付けられたソケット取り付け部材８であり、このソケット取り付け部材８が放電ランプ１の軸を略中心に回動するとともに、所定の回動位置で本体４に取り付けられるようになっている。これを詳しく述べると、ソケット取り付け部材８は平板を折り曲げ形成したもので、断面略コ字状の本体部と、本体部の先端に設けられた２つの取り付け部と、を備えている。そして、各々の取り付け部には、このソケット取り付け部材８が放電ランプ１の軸を略中心に回動できるような長孔８ａが設けられている。そして、この長孔８ａを使ってソケット取り付け部材８が本体４にネジ止めできるようになっている。なお、このソケット取り付け部材８は、ネジを緩めてソケット取り付け部材８を長孔８ａに沿って回動させることにより、筒７を介して放電ランプ１とセンサブロック５とを対向させた状態で両者の相互の位置関係を放電ランプ１の軸周りに移動させることができるものである。
【００２２】
次に、このように構成された照明装置の放電ランプ１を交換するときの取り扱い方を説明する。まず、古い放電ランプ１をソケット２から取り外す。そして、新しい放電ランプ１をソケット２に装着する。このとき放電ランプ１の支持部材１ｃが放電ランプ１の軸芯と孔６との間に位置していないかを確認する。この確認は正確にする必要はなく、およその位置にあるのか、ないのかを確認すればよい。このとき放電ランプ１の支持部材１ｃが放電ランプの軸芯と孔６との間に位置していなければこれで交換は終了である。しかし、放電ランプ１の支持部材１ｃが放電ランプの軸芯と孔６との間に位置しているときは、一旦放電ランプ１をソケット２から取り外す。そして、ソケット取り付け部材８を本体４に固定しているネジを緩め、放電ランプ１の支持部材１ｃが放電ランプ１の軸芯と孔６との間に位置しない方向に、ソケット取り付け部材８を長孔８ａに沿って回動させる。そして、位置が決めれば再びネジを締めつけ、再度、新しい放電ランプ１をソケット２に装着して交換が終了する。
【００２３】
この実施の形態によると、反射板３の放電ランプ１の発光面と略対向する位置に設けられて放電ランプ１の直射光を反射板３の外部に漏らす孔６と、この孔６を介して放電ランプ１と対向して孔６から反射板３の外部に漏れた光を検出し出力信号を出すセンサブロック５と、孔６とセンサブロック５との間に設けられて反射板３の外部に漏れた光をセンサブロック５に導く筒７と、筒７を介して放電ランプ１とセンサブロック５とを対向させた状態で両者の相互の位置関係を放電ランプ１の軸周りに移動させて位置決めできる回動機構と、を備えたことにより、放電ランプ１の支持部材１ｃが放電ランプ１の軸芯と孔６との間に位置しないように回動機構で調整できるものとなるので、放電ランプ１の支持部材１ｃが放電ランプ１の軸芯と孔６との間に位置してしまい、放電ランプ１からの直射光が支持部材１ｃで遮られることがなくなるので、これにより放電ランプ１の光出力の検出値が変わってしまうことがなくなり、その結果、放電ランプ１の光出力の検出精度を向上できるものとなる。また、放電ランプ１からの光を孔６に対して極力垂直に入射できるものともなるので、さらに放電ランプ１の光出力の検出精度を向上できるものとなる。
【００２４】
また、回動機構は、ソケット２の外郭に取り付けられたソケット取り付け部材８であり、このソケット取り付け部材８が放電ランプ１の軸を略中心に回動するとともに、所定の回動位置で本体４に取り付けられるものであることにより、反射板３や筒７やセンサブロック５の位置は変わらないで回動できるものとなるので、筒７やセンサブロック５の周囲近傍に建物の構造部材などが存在する場合に有用なものとなる。
【００２５】
次に、第１の実施の形態の応用例を説明する。図４、図５は、第１の応用例で、図４は照明装置の断面図、図５は回動機構を示す図で、図５（ａ）は反射板の天板部の上面図、図５（ｂ）は反射板の側面図である。
【００２６】
この応用例は、前記した回動機構を別のものに変えている。このものの回動機構は、反射板３が放電ランプ１の軸を略中心に回動するとともに、所定の回動位置で本体４に取り付けられるものとしている。これを詳しく述べると、反射板３は、円錐台をなしており、この円錐台をなした上端には、本体４に取り付けられる天板部が設けられている。そして天板部には、図５（ａ）の示すように、中央に放電ランプ１を貫通させるための貫通口が設けられており、その周囲には、貫通口に沿った長孔３ａが設けられている。そして、この長孔３ａを使って反射板３が本体４にネジ止めできるようになっている。なお、その他の第１の実施の形態と同一の構成部材には、同一符号を付すことにより説明を省略する。
【００２７】
このように構成された照明装置は、ネジ３０を緩めて反射板３を長孔３ａに沿って放電ランプ１の軸を略中心に回動させて再び固定することにより、筒７を介して放電ランプ１とセンサブロック５とを対向させた状態で両者の相互の位置関係を放電ランプ１の軸周りに移動させることができるものである。このもでは、図２を用いて説明した回動機構に比べて、反射板３の回動を放電ランプ１の軸を略中心に小さな角度で行なうことができるようになる。また、反射板３の形状は、天板部の径が放電ランプ１の径よりも十分に大きい場合もあり、この場合は、照明装置を下側から見たときに、長孔３ａが放電ランプ１の直径の外側に位置できるので、放電ランプ１をソケット２に挿入したままで反射板３を回動させることができるものとなる。
【００２８】
次に、第１の実施の形態の第２の応用例を図６、図７を用いて説明する。図６は照明装置の断面図、図７は回動機構を説明するための要部説明図である。この応用例は、前記した回動機構をさらに別の構成にしたものである。このものの回動機構は、孔６を反射板３の周方向を長手とした導光用長孔６ａとしている。そして、筒７は、導光用長孔６ａに略沿って移動し所定の位置で固定できるものとしている。これを詳しく述べると、反射板３の側周面に取り付けられる筒７は、反射板３に設けられた長孔３ｂにより、反射板３の放電ランプ１側からネジにより固定できるようになっている。なお、その他の第１の実施の形態と同一の構成部材には、同一符号を付すことにより説明を省略する。
【００２９】
このように構成された照明装置は、ネジを緩めて筒７を長孔３ｂに沿って放電ランプ１の軸を略中心に回動させて再び固定することにより、筒７を介して放電ランプ１とセンサブロック５とを対向させた状態で両者の相互の位置関係を放電ランプ１の軸周りに移動させることができるものである。このとき、長孔３ｂの端まで筒７を回動させても筒７の周囲から長孔３ｂや導光用長孔６ａは、はみ出ない程度に長孔３ｂが設けらている。
【００３０】
このものは、図２を用いて説明した回動機構と同様に放電ランプ１の支持部材１ｃが放電ランプ１の軸芯と孔６との間に位置しないように回動機構で調整できるものとなるので、放電ランプ１の光出力の検出精度を向上できるものとなる。
【００３１】
（第２の実施の形態）
本発明の第２の実施の形態を図８、図９を用いて説明する。図８は照明装置の断面図、図９は図８をＡ方向から見たときの筒と遮断体とを示す説明図である。このものは、図１に示した照明装置の孔６を通じてセンサブロック５に到達する光の量を遮断体９で調整できるものである。このものは、開口面積の違う開口孔を複数有した遮断体９を孔６とセンサブロック５との間に備え、遮断体９は、複数の開口孔９ｅ、９ｆ、９ｇ、９ｈのうち所定のものを選択することにより孔か６ら漏れる光がセンサブロック５に到達する割合を調整できるものとしている。具体的に述べると、遮蔽体９は、筒７の一端と反射板３との間に設けられた円板状のものである。そして、開口孔９ｅ、９ｆ、９ｇ、９ｈは、円板状の遮蔽体９の周辺に設けられた円形の孔であり、小さい孔から順に９ｅ、９ｆ、９ｇ、９ｈとなっている。そして遮蔽体９の中心を軸として遮蔽体９を回転させたときに、開口孔９ｅ、９ｆ、９ｇ、９ｈの各々の中心が孔６の中心と略同心円状に重なって、所望の開口孔９ｅ、９ｆ、９ｇ、９ｈを選択できるように反射板３にネジ３０により取り付けられている。なお、開口孔９ｅ、９ｆ、９ｇ、９ｈは、孔６よりも小さい開口面積となっている。その他の第１の実施の形態と同一の構成部材には同一符号を付すことにより説明を省略する。
【００３２】
このように構成された照明装置は、放電ランプ１に明るさの違う複数の放電ランプ１を使用しても、開口孔９ｅ、９ｆ、９ｇ、９ｈにより、センサブロック５に到達する光の量は、略同じぐらいのものとすることができる。すなわち、使用を予定している明るさの違う放電ランプ１の中で、中間的な明るさの放電ランプ１を使用したときに、開口孔９ｆ、又は９ｇを選択するように設定しておけば、これよりも光出力の大きい放電ランプ１が使われた場合は、開口孔９ｅを選択すればよく、逆に光出力の小さい放電ランプ１が使われた場合は、開口孔９ｈを選択すればよいものとなる。このように開口孔を選択することにより明るさの違う複数の放電ランプ１に対して、同一感度のセンサブロック５を使用することができるものとなる。
【００３３】
次に、第２の実施の形態の応用例を図１０、図１１を用いて説明する。図１０は照明装置の断面図、図１１は図１０をＡ方向から見たときの筒と遮断体とを示す説明図である。この応用例は、前記した遮蔽体を変えたものである。このものにおける遮蔽体９１は、筒７の一端と反射板３との間に設けられた短冊状のものである。そして、開口孔９１ｅ、９１ｆ、９１ｇ、９１ｈは、開口孔の中心が短冊状の遮蔽体９の対向する長手辺の略中間を結ぶ線上を通るとともに、各々の開口孔が所定の間隔で設けられている。そして、開口孔９１ｅ、９１ｆ、９１ｇ、９１ｈは、小さい孔から順に９１ｅ、９１ｆ、９１ｇ、９１ｈとなっている。さらに、遮蔽体９１をその長手方向に移動させたときに、開口孔９１ｅ、９１ｆ、９１ｇ、９１ｈの各々の中心が孔６の中心と略同心円状に重なって、所望の開口孔９１ｅ、９１ｆ、９１ｇ、９１ｈを選択できるように遮蔽体９１が反射板３にネジ３０により取り付けられている。なお、開口孔９１ｅ、９１ｆ、９１ｇ、９１ｈは、孔６よりも小さい開口面積となっている。なお、その他の第１の実施の形態と同一の構成部材には、同一符号を付すことにより説明を省略する。
【００３４】
このように構成された照明装置も前記したものと同様に、開口孔を選択することにより、明るさの違う複数の放電ランプ１に対して同一感度のセンサブロックを使用することができるものとなる。
【００３５】
なお、図１２は、前記した遮蔽体９１をさらに変えたものを示す図で、筒と遮断体とを示す説明図である。このものにおける遮蔽体９２は、一つの開口孔９２を有している。そして、この遮蔽体９２は、反射板３の外壁に沿って、上下に移動できるようになっている。このものは、孔６を通じてセンサブロック５に到達する光の量を２段階に調整できるものとなる。
【００３６】
なお、第２の実施の形態において、回動手段は、図２を用いて説明したソケット取り付け部材８を用いているが、図５を用いて説明した回動手段でもよい。
【００３７】
（第３の実施の形態）
本発明の第３の実施の形態を図１３、図１４を用いて説明する。図１３は照明装置の断面図、図１４はこのものの要部を示す断面図である。このものは、図１に示した照明装置の筒７にセンサブロック５と放電ランプ１の発光面との距離を調整できる遠近調整手段１０を設けたものである。この遠近調整手段１０は、略Ｌ字状をなし、Ｌ字の長手の片をはセンサブロック５に取り付けられており、Ｌ字の短手の片が筒７に取り付けられている。そして、筒７の上部には、長孔が設けられており、ネジ３０がこの長孔を貫通して、遠近調整手段１０に固定されることによりセンサブロック５が固定されるものとなる。そして、センサブロック５は、長孔の長手の寸法分だけ、放電ランプ１の発光面に対して近づけたり、遠ざけたりできるようになっている。その他の第１の実施の形態と同一の構成部材には同一符号を付すことにより説明を省略する。
【００３８】
このものは、こ遠近調整手段１０により適宜、センサブロック５と放電ランプ１の発光面との距離を調整することにより、明るさの違う複数の放電ランプ１に対して、同一感度のセンサブロック５を使用することができるものとなる。すなわち、光出力の大きい放電ランプ１が使われた場合は、遠近調整手段１０によりセンサブロック５と放電ランプ１の発光面との距離を離せばよく、光出力の小さい放電ランプ１が使われた場合は、遠近調整手段１０によりセンサブロック５と放電ランプ１の発光面との距離を近づければよい。さらに、このものは連続的にセンサブロック５と放電ランプ１の発光面との距離を調整することができるので、より正確さを要求される場合に適したものとなる。なお、このものにおいて、回動手段は、図２を用いて説明したソケット取り付け部材８を用いているが、図５を用いて説明した回動手段でもよい。
【００３９】
また、図１５は放電ランプ１の光出力が多すぎる場合に使用するもので、孔６を透光性を備えた透光板２０で塞ぐことにより孔６から漏れる光がセンサブロック５に到達する割合を調整したものである。
【００４０】
なお、図２と図１６以外の図面における放電ランプ１の図は、発光部１ａと、これを支持する支持部材１ｃは、省略しているものとする。
【００４１】
【発明の効果】
請求項１記載の発明にあっては、放電ランプと、この放電ランプが装着されるソケットと、前記放電ランプを覆う反射板と、前記ソケットが取り付けられ反射板を保持する本体と、前記反射板の前記放電ランプの発光面と略対向する位置に設けられて前記放電ランプの直射光を反射板の外部に漏らす孔と、この孔を介して前記放電ランプと対向して前記孔から前記反射板の外部に漏れた光を検出し出力信号を出すセンサブロックと、このセンサブロックの出力信号に応じて前記放電ランプを制御する制御手段と、前記孔と前記センサブロックとの間に設けられて前記反射板の外部に漏れた光を前記センサブロックに導く筒と、この筒を介して前記放電ランプと前記センサブロックとを対向させた状態で両者の相互の位置関係を前記放電ランプの軸周りに移動させて位置決めできる回動機構と、を備えてなることにより、放電ランプの支持部材が放電ランプの軸芯と孔との間に位置しないように回動機構で調整できるものとなるので、放電ランプの支持部材が放電ランプの軸芯と孔との間に位置してしまい、放電ランプからの直射光が支持部材で遮られることがなくなるので、これにより放電ランプの光出力の検出値が変わってしまうことがなくなり、その結果、放電ランプの光出力の検出精度を向上できるものとなる。
【００４２】
請求項２記載の発明にあっては、前記回動機構は、前記ソケットの外郭に取り付けられたソケット取り付け部材であり、このソケット取り付け部材が前記放電ランプの軸を略中心に回動するとともに、所定の回動位置で前記本体に取り付けられるものであることにより、請求項１に記載した効果を奏するうえに、反射板や筒やセンサブロックの位置は変わらないで回動できるものとなるので、筒やセンサブロックの周囲近傍に建物の構造部材などが存在する場合に有用なものとなる。
【００４３】
請求項３記載の発明にあっては、前記回動機構は、前記反射板が前記放電ランプの軸を略中心に回動するとともに、所定の回動位置で前記本体に取り付けられるものであるにより、請求項１に記載した効果を奏するうえに、反射板の回動を放電ランプの軸を略中心に小さな角度で行なうことができるのものとなる。
【００４４】
請求項４記載の発明にあっては、前記孔は、前記反射板の周方向を長手として設けられた導光用長孔であり、前記筒は、前記導光用長孔の長手に略沿って移動し所定の位置で固定できるものであるにより、請求項１に記載の効果を奏する。
【００４５】
請求項５記載の発明にあっては、開口面積の違う開口孔を複数有した遮断体を前記孔と前記センサブロックとの間に備え、前記遮断体は、複数の開口孔のうち所定のものを選択することにより前記孔から漏れる光が前記センサブロックに到達する割合を調整できるものであることにより、請求項１乃至４のいずれかに記載した効果を奏するうえに、光出力の大きい放電ランプが使われた場合は、小さな開口孔を選択し、逆に光出力の小さい放電ランプが使われた場合は、大きな開口孔を選択することにより、明るさの違う複数の放電ランプに対して、同一感度のセンサブロックを使用することができるものとなる。
【００４６】
請求項６記載の発明にあっては、前記センサブロックと放電ランプの発光面との距離を調整できる遠近調整手段を設けたことにより請求項１乃至４のいずれかに記載の効果を奏するうえに、光出力の大きい放電ランプが使われた場合は、遠近調整手段によりセンサブロックと放電ランプの発光面との距離を遠ざけ、逆に光出力の小さい放電ランプが使われた場合は、遠近調整手段によりセンサブロックと放電ランプの発光面との距離を近づけることにより、明るさの違う複数の放電ランプに対して、同一感度のセンサブロックを使用することができるものとなる。
【００４７】
請求項７記載の発明にあっては、前記孔を透光性を備えた透光板で塞ぐことにより前記孔から漏れる光が前記センサブロックに到達する割合を調整できるものであることにより、請求項１乃至４のいずれかに記載の効果を奏するうえに、孔から漏れる光がセンサブロックに到達する割合を調整できるものとなる。
【図面の簡単な説明】
【図１】本発明の第１の実施の形態に係る照明装置の断面図である。
【図２】同上の照明装置の図２は回動機構を示す図で、図２（ａ）は上面図、図２（ｂ）は側面図である。
【図３】同上の照明装置に用いる放電ランプの図で、図３（ａ）は側面図、図３（ｂ）は放電ランプの軸と直行する面で切断したときの断面図である。
【図４】同上の照明装置の第１の応用例を示す断面図である。
【図５】同上の照明装置の回動機構を示す図で、図５（ａ）は反射板の天板部の上面図、図５（ｂ）は反射板の側面図である。
【図６】同上の照明装置の第２の応用例を示す断面図である。
【図７】同上の照明装置の回動機構を説明するための要部説明図である。
【図８】本発明の第２の実施の形態に係る照明装置の断面図である。
【図９】同上の照明装置のＡ方向から見たときの筒と遮断体とを示す説明図である。
【図１０】同上の照明装置の応用例を示す断面図である。
【図１１】同上の照明装置のＡ方向から見たときの筒と遮断体とを示す説明図である。
【図１２】同上の照明装置の別の応用例を示す図で、筒と遮断体とを示す説明図である。
【図１３】本発明の第３の実施の形態に係る照明装置の断面図である。
【図１４】同上の照明装置の要部を示す断面図である。
【図１５】同上の照明装置の応用例で要部を示す断面図である。
【図１６】従来例に係る照明装置の断面図を示す。
【符号の説明】
１      放電ランプ
２      ソケット
３      反射板
４      本体
５      センサブロック
６      孔
７      筒
８      ソケット取り付け部材
９      遮断体
１０    遠近調整手段
【図１】
2004213933.tif 000003
【図２】
2004213933.tif 000004
【図３】
2004213933.tif 000005
【図４】
2004213933.tif 000006
【図５】
2004213933.tif 000007
【図６】
2004213933.tif 000008
【図７】
2004213933.tif 000009
【図８】
2004213933.tif 000010
【図９】
2004213933.tif 000011
【図１０】
2004213933.tif 000012
【図１１】
2004213933.tif 000013
【図１２】
2004213933.tif 000014
【図１３】
2004213933.tif 000015
【図１４】
2004213933.tif 000016
【図１５】
2004213933.tif 000017
【図１６】
2004213933.tif 000018